(57)【要約】【課題】手動で小物品を供給する物品供給装置に関して、物品が欠乏したとき操作不能にすると共に、商品売切れ情報を表示する装置を提供する。【解決手段】ストッカー(3)に積層された物品を最下位の物品から順に搬出口(4)に向けて押し出すイジェクタ機構(5)と、手動によりイジェクタ機構(5)を往復動させる操作機構(7)が設けられ、最上位の物品(bn)に追従体(37)が載置されている。コインを投入し、操作機構(7)をニュートラル位置(N)から１回転することにより物品が搬出される。最上位の物品が押し出され、ストッカー(3)の物品が欠乏したとき、追従体(37)が落下してイジェクタ機構(5)を駆動位置(EJ)でロックする。このとき、操作機構(7)は中途位置(M)で停止させられ、コインを受取ることができない。追従体(37)は、表示作動機構(31)を作動させ、ハウジングの正面壁(2a)の表示窓(23)に商品売切れ情報(30)を表示する。【選択図】図２
2011054074.tif 000002
【特許請求の範囲】
【請求項１】
ハウジング(2)と、ハウジングの内部で多数の物品を上下に積層するストッカー(3)と、最下位の物品をストッカーからハウジングの外部に搬出する搬出口(4)と、ストッカーの背部に位置する往動開始位置(FS)とストッカーの底部に位置する往動終了位置(FE)の間を往復移動することにより最下位の物品を搬出口に向けて押し出すイジェクタ機構(5)と、ニュートラル位置(N)でコインを受取り可能とされると共に該コインを受取ることにより一方向にのみ回動自在なワンウエイ手段(16)を設けた操作機構(7)と、前記操作機構の回転を受けて前記イジェクタ機構(5)を往復駆動する動力伝達機構(6)から構成され、
前記ストッカーの物品が欠乏したとき、前記イジェクタ機構を移動不能とするロック装置と、ハウジングの正面壁に設けた表示窓に商品売切れ情報を表示する表示装置が設けられており、
前記ロック装置は、ストッカー(3)に積層された物品の搬出に伴う最上位の物品(bn)の下降に追従して下降する錘を構成して該最上位の物品(bn)に載置された追従体(37)を備え、該追従体(37)は、最上位の物品の搬出に伴い下降して下方の受部材(9)に載置されたとき、前記イジェクタ機構(5)に係止する係止手段(43)を設けると共に、前記表示装置(24)を作動させる作動手段(45)を設けており、
前記表示装置(24)は、ハウジングの正面壁(2a)の裏面に位置して待機位置(L)と作動位置(H)の間を移動すると共に、作動位置(H)で前記表示窓(23)に商品売切れ情報(30)を臨ませる表示板(26)と、最上位の物品の搬出に伴い下降する追従体(37)の作動手段(45)に係合されて前記表示板(26)を作動位置(H)に移動させる表示作動機構(31)を構成して成ることを特徴とする物品供給装置。
【請求項２】
前記表示窓(23)を設けたハウジングの正面壁(2a)は、該ハウジングの正面開口を開閉自在に閉鎖する扉部材(21)により構成され、該扉部材の開閉ヒンジ手段(22)を前記正面開口の側縁部に設けると共に、該扉部材の裏面に前記表示作動機構(31)を設けており、
前記表示作動機構(31)が前記追従体(37)の作動手段(45)に係合されることにより表示板(26)を作動位置(H)に移動させた状態で、前記扉部材(21)を開いたとき、前記表示作動機構(31)が追従体(37)の作動手段(45)から離隔され、表示板(26)を待機位置(L)に自動的に復帰させるように構成して成ることを特徴とする請求項１に記載の物品供給装置。
【請求項３】
前記イジェクタ機構(5)は、ストッカーの背部に位置する往動開始位置(FS)からストッカーの底部に位置して物品を押し出す駆動位置(EJ)まで往動し、更に、駆動位置(EJ)から往動終了位置(FE)まで往動した後、前記往動開始位置(FS)まで復動するように構成され、
前記操作機構(7)は、ニュートラル位置(N)でのみコインを受取り可能とされ、該ニュートラル位置(N)から一方向に回動して再びニュートラル位置(N)に来る前のコイン受取り不能な回動中途位置(M)を前記駆動位置(EJ)に対応させるように構成され、
前記追従体(37)の係止手段(43)は、イジェクタ機構(5)が駆動位置(EJ)まで往動した状態で該イジェクタ機構(5)を往動不能に係止するように構成して成ることを特徴とする請求項１又は２に記載の物品供給装置。
【請求項４】
前記表示作動機構(31)は、下位の待機位置(L)と上位の作動位置(H)の間で昇降自在とされた表示板(26)に設けられた作動片(32)と、ハウジングの正面壁(2a)の裏面に設けたブラケットに枢軸(34)を介して上下揺動自在に枢結された揺動部材(33)を備え、
前記揺動部材(33)は、前記枢軸(34)から前記作動片(32)まで延びて係合する駆動部(33a)と、前記枢軸(34)から前記駆動部の反対方向に延びて前記追従体(37)の作動手段(45)を受取り可能とする受動部(33b)を設けており、
前記揺動部材(33)は、前記駆動部(33a)に表示板(26)の下向き付勢力を受けることによりほぼ水平姿勢を保持した状態から、前記追従体(37)が下降して前記受部材(9)に載置されたとき、該追従体(37)の作動手段(45)により前記受動部(33b)を下動させられて前記駆動部(33a)を上動することにより、前記表示板(26)を上昇させるように構成して成ることを特徴とする請求項１、２又は３に記載の物品供給装置。
【請求項５】
前記追従体(37)は、前記イジェクタ機構(5)をロックする係止手段(43)を備えた第一錘部材(38)と、前記揺動部材(33)を揺動させる作動手段(45)を備えた第二錘部材(39)により構成され、第二錘部材(39)を第一錘部材(38)に対して上下方向に摺動自在に組み合わせ、第一錘部材(38)を物品に載置した状態では、該第一錘部材(38)と第二錘部材(39)の下面を面一に整合するが、前記物品を除去した状態では、第二錘部材(39)を第一錘部材(38)に対して自重で下方に摺動するように構成して成ることを特徴とする請求項４に記載の物品供給装置。
【発明の詳細な説明】
【技術分野】
【０００１】
本発明は、小物品を商品として販売する販売機等の物品供給装置に関する。
【背景技術】
【０００２】
従来、種々の小物品を商品として販売する販売機が知られている。このような販売機は、電動式のものが主流を占めるが、電源等による設置場所に制限のない手動機械式のものが好ましい。
【０００３】
手動機械式の販売機は、ハウジングと、ハウジングの内部で多数の物品を上下に積層するストッカーと、最下位の物品をストッカーからハウジングの外部に搬出する搬出口と、ストッカーの背部に位置する往動開始位置とストッカーの底部に位置する往動終了位置との間を往復移動することにより最下位の物品を搬出口から押し出すイジェクタ機構と、ニュートラル位置でコインを受取り可能とされると共に該コインを受取ることにより一方向にのみ回動自在なワンウエイ手段を設けた操作機構と、前記操作機構の回転を受けて前記イジェクタ機構を往復駆動する動力伝達機構を備えている。
【０００４】
操作機構は、一方向にのみ回転自在な摘み部材を備えており、ハウジングの外側に設けたスリットにコインを投入したとき、該摘み部材を始点から終点まで所定回転角度で１回だけ回転可能とする操作許可機構を設けている。具体的には、操作許可機構は、係脱自在な係止手段を備え、係止手段が係止した状態では回転不能とされているが、スリットから投入されたコインをポケットに受取ると、該コインにより前記係止手段の係止を解除させることにより、回転可能となるように構成されている。
【０００５】
このように、前記操作機構は、ニュートラル位置にあるときにコインをポケットに受取り可能であり、そして、前記操作許可機構は、前記ポケットにコインが投入された状態で操作機構を回転可能とする。
【０００６】
そこで、物品購入を目的とする顧客は、スリットにコインを投入した後、手動により摘み部材をニュートラル位置から回転する。手動で回転された操作機構の動力は、動力伝達機構を介してイジェクタ機構を往動開始位置から往動終了位置に向けて往動することにより、積層された物品のうち最下位の物品を搬出口に押し出す。この１回の動作が終わり、再びニュートラル位置に来ると、摘み部材は回転不能に保持される。
【０００７】
ところで、従来の販売機は、売り切れ等によりストッカーの物品が欠乏した場合でも、スリットにコインを投入すると、ニュートラル位置で待機している操作機構のポケットにコインが受取られ、操作許可機構が働くので、摘み部材を回転することができる。しかしながら、物品が欠乏しているので、イジェクタ機構は空回りする。このため、物品の欠乏状態を知らない顧客は、コインを投入して摘み部材を回転しても物品が搬出口から供給されないことに怒りを感じ、物品供給者との間でトラブルの原因となる。
【０００８】
そこで、物品の搬出に伴う最上位の物品の下降に追従して下降する追従体を設け、該追従体によりロック機構を構成した物品供給装置が提案されている。前記追従体は、錘により構成され、最上位の物品に載置されており、イジェクタ機構が最上位の物品を搬出口から押し出したとき、前記ロック機構が追従体とイジェクタ機構を相互に係止させ、イジェクタ機構を移動不能にロックする。従って、このロック状態において、顧客が摘み部材を回転しようとしても、回転されることはない。
【先行技術文献】
【特許文献】
【０００９】
【特許文献１】特開２００８−１５２７２４号公報
【特許文献２】特開２００３−２９６８０６号公報
【発明の概要】
【発明が解決しようとする課題】
【００１０】
上述した従来技術は、物品供給装置に設けたロック機構がイジェクタ機構を移動不能にロックし、それにより操作機構の摘み部材を回転不能とするので、顧客がコインを投入しても摘み部材が空回りするというトラブルを発生することはない。
【００１１】
しかしながら、従来技術の場合、最後の物品を押し出したイジェクタ機構は、往動終了位置で前記ロック機構により移動不能にロックされるものであるから、このとき、操作機構は、ニュートラル位置にあり、スリットから投入したコインをポケットに受取り可能としている。
【００１２】
このため、イジェクタ機構がロック状態にあることを知らない顧客がスリットにコインを投入すると、該スリットからポケットに向けてコインが挿入されてしまい、該コインを取出不能又は取出困難な状態とするので、依然としてトラブルの原因が解消されない。
【課題を解決するための手段】
【００１３】
本発明は、上記課題を解決し、ストッカーの物品が欠乏したとき、イジェクタ機構を移動不能にロックするだけでなく、ロック状態である旨の情報、換言すれば、商品が売切れの状態である旨の情報を表示させ、これを顧客に知らせるように構成した物品供給装置を提供するものである。
【００１４】
また、本発明は、イジェクタ機構がロックされた状態で、顧客がスリットにコインを投入しようとしても、操作機構がコインの受取りを拒否することにより、顧客にコイン挿入不能であることを知らせ、コインの投入を断念させるように構成した物品供給装置を提供するものである。
【００１５】
そこで、本発明が手段として構成したところは、ハウジングと、ハウジングの内部で多数の物品を上下に積層するストッカーと、最下位の物品をストッカーからハウジングの外部に搬出する搬出口と、ストッカーの背部に位置する往動開始位置(FS)とストッカーの底部に位置する往動終了位置(FE)の間を往復移動することにより最下位の物品を搬出口に向けて押し出すイジェクタ機構と、ニュートラル位置(N)でコインを受取り可能とされると共に該コインを受取ることにより一方向にのみ回動自在なワンウエイ手段を設けた操作機構と、前記操作機構の回転を受けて前記イジェクタ機構を往復駆動する動力伝達機構から構成され、前記ストッカーの物品が欠乏したとき、前記イジェクタ機構を移動不能とするロック装置と、ハウジングの正面壁に設けた表示窓に商品売切れ情報を表示する表示装置が設けられており、前記ロック装置は、ストッカーに積層された物品の搬出に伴う最上位の物品の下降に追従して下降する錘を構成して該最上位の物品(bn)に載置された追従体を備え、該追従体は、最上位の物品の搬出に伴い下降して下方の受部材に載置されたとき、前記イジェクタ機構に係止する係止手段を設けると共に、前記表示装置を作動させる作動手段を設けており、前記表示装置は、ハウジングの正面壁の裏面に位置して待機位置と作動位置の間を移動すると共に、作動位置で前記表示窓に商品売切れ情報を臨ませる表示板と、最上位の物品の搬出に伴い下降する追従体の作動手段に係合されて前記表示板を作動位置に移動させる表示作動機構を構成して成る点にある。
【００１６】
本発明の好ましい実施形態において、表示窓を設けたハウジングの正面壁は、該ハウジングの正面開口を開閉自在に閉鎖する扉部材により構成され、該扉部材の開閉ヒンジ手段を前記正面開口の側縁部に設けると共に、該扉部材の裏面に前記表示作動機構を設けており、前記表示作動機構が前記追従体の作動手段に係合されることにより表示板を作動位置に移動させた状態で、前記扉部材を開いたとき、前記表示作動機構が追従体の作動手段から離隔され、表示板を待機位置に自動的に復帰させるように構成している。
【００１７】
前記イジェクタ機構は、ストッカーの背部に位置する往動開始位置(FS)からストッカーの底部に位置して物品を押し出す駆動位置(EJ)まで往動し、更に、駆動位置(EJ)から往動終了位置(FE)まで往動した後、前記往動開始位置(FS)まで復動するように構成され、前記操作機構は、ニュートラル位置(N)でのみコインを受取り可能とされ、該ニュートラル位置(N)から一方向に回動して再びニュートラル位置(N)に来る前のコイン受取り不能な回動中途位置(M)を前記駆動位置(EJ)に対応させるように構成され、前記追従体の係止手段は、イジェクタ機構が駆動位置(EJ)まで往動した状態で該イジェクタ機構を往動不能に係止するように構成している。
【００１８】
前記表示作動機構は、下位の待機位置と上位の作動位置の間で昇降自在とされた表示板に設けられた作動片と、ハウジングの正面壁の裏面に設けたブラケットに枢軸を介して上下揺動自在に枢結された揺動部材を備え、前記揺動部材は、前記枢軸から前記作動片まで延びて係合する駆動部と、前記枢軸から前記駆動部の反対方向に延びて前記追従体の作動手段を受取り可能とする受動部を設けており、前記揺動部材は、前記駆動部に表示板の下向き付勢力を受けることによりほぼ水平姿勢を保持した状態から、前記追従体が下降して前記受部材に載置されたとき、該追従体の作動手段により前記受動部を下動させられて前記駆動部を上動することにより、前記表示板を上昇させるように構成している。
【００１９】
前記追従体は、前記イジェクタ機構をロックする係止手段を備えた第一錘部材と、前記揺動部材を揺動させる作動手段を備えた第二錘部材により構成され、第二錘部材を第一錘部材に対して上下方向に摺動自在に組み合わせ、第一錘部材を物品に載置した状態では、該第一錘部材と第二錘部材の下面を面一に整合するが、前記物品を除去した状態では、第二錘部材を第一錘部材に対して自重で下方に摺動するように構成している。
【発明の効果】
【００２０】
請求項１に記載の本発明によれば、ストッカー３の物品が欠乏したとき、イジェクタ機構５を移動不能にロックすると共に、表示窓２３に商品売切れ情報３０を表示することにより、これを顧客に知らせるものであるから、従来の物品供給装置に課題とされる顧客のトラブルを未然に防止することができる。そして、このようなイジェクタ機構５のロック動作と商品売切れ情報３０の表示動作を全て手動で機械的に行い、電気的構成を必要としないものであるから、省資源はもとより、電源のない場所に好適に設置できるという利点がある。
【００２１】
ところで、前記売切れ情報３０は、顧客のみならず、物品供給装置１の管理者に対しても、物品補給の必要性を知らせる手段として有効に機能する。そこで、請求項２に記載の本発明によれば、物品補給に際して、管理者が扉部材２１を開くと、表示作動機構３１が追従体３７の作動手段４５から離隔され、表示板２６を待機位置Ｌに自動的に復帰させるように構成しているので、管理者が表示板２６を作動位置Ｈから待機位置Ｌに戻す煩雑な作業を必要としないという効果がある。
【００２２】
請求項３に記載の本発明によれば、ストッカー３の物品が欠乏したとき、追従体３７によりイジェクタ機構５を往動終了位置ＦＥに至らない駆動位置ＥＪで往動不能にロックすると共に、操作機構７をニュートラル位置Ｎに来る前のコイン受取り不能な中途位置Ｍで回動不能にロックする構成であるから、顧客がスリットにコインを投入しようとしても、コインの受取りが拒否され、これにより、顧客にコイン挿入不能であることを知らせ、顧客のトラブルを確実に防止することができる。
【００２３】
請求項４に記載の本発明によれば、電気的手段を設けることなく、表示板２６を作動させる表示作動機構３１を手動式の機械的構造のものとして簡単に構成することができるという利点がある。
【００２４】
請求項５に記載の本発明によれば、最後の物品ｂｎが押し出されたとき、追従体３７は、第一錘部材３８を落下距離Ｄ１だけ下降させ、ロック係止片４３をイジェクタ機構５に係止する一方において、第二錘部材３９を第一錘部材３８に対して落下距離Ｄ２だけ下降させ、前記落下距離Ｄ１及びＤ２を合計した落下距離に相当して作動手段４５を下降させるように構成されている。このため、例えば、物品ｂｎの高さが比較的低く、落下距離Ｄ１が小さい場合でも、作動手段４５の下動距離を大きくすることができるので、揺動部材３３の受動部３３ｂを十分な距離だけ下動させることが可能となる。また、ストッカー３と扉部材２１の間に距離があり、揺動部材３３における枢軸３４から、受動部３３ｂの先端までの距離Ｌ１と、駆動部３３ａの先端までの距離Ｌ２が、Ｌ１＞Ｌ２とされている場合でも、駆動部３３ａを十分な距離だけ上動させることができ、表示板２６を待機位置Ｌから作動位置Ｈまで好適に上昇させることを可能とするという効果がある。
【図面の簡単な説明】
【００２５】
【図１】本発明の１実施形態の外観を示す斜視図である。
【図２】本発明の１実施形態の扉部材を開くことにより内部を示す斜視図である。
【図３】表示装置と表示作動機構の実施例を分解した状態で示す斜視図である。
【図４】追従体の実施例を示しており、（Ａ）は第一錘部材と第二錘部材を組み合わせた状態を背面側から示す斜視図、（Ｂ）は第一錘部材と第二錘部材を分解した状態を背面側から示す斜視図、（Ｃ）は第一錘部材と第二錘部材を分解した状態を正面側から示す斜視図である。
【図５】表示装置と表示作動機構の作用を示しており、（Ａ）は表示板が待機位置にある状態を示す断面図、（Ｂ）は表示板が作動位置にある状態を示す断面図である。
【図６】本発明の１実施形態におけるイジェクタ機構と動力伝達機構を示す斜視図である。
【図７】イジェクタ機構の作用を示しており、第一物品積層体の物品を搬出する際に、スライダーが往動開始位置に移動した状態を示す断面図である。
【図８】イジェクタ機構の作用を示しており、第一物品積層体の物品を搬出する際に、スライダーが往動開始位置から往動中の状態を示す断面図である。
【図９】イジェクタ機構の作用を示しており、第一物品積層体の物品を搬出する際に、スライダーが物品を押し出した駆動位置に移動した状態を示す断面図である。
【図１０】イジェクタ機構の作用を示しており、第二物品積層体の物品を搬出する際に、スライダーが往動開始位置に移動した状態を示す断面図である。
【図１１】イジェクタ機構の作用を示しており、第二物品積層体の物品を搬出する際に、スライダーが物品を押し出した駆動位置に移動した状態を示す断面図である。
【図１２】イジェクタ機構の作用を示しており、スライダーが第二物品積層体の最上位の物品を押し出した駆動位置に移動し、ロック装置により往動動不能にロックされた状態を示す断面図である。
【発明を実施するための形態】
【００２６】
以下図面に基づいて本発明の好ましい実施形態を詳述する。
【００２７】
図１ないし図３に示すように、物品供給装置１は、ハウジング２と、該ハウジング２の内部で多数の物品を上下に積層するストッカー３と、最下位の物品をストッカー３からハウジング２の外部に搬出する搬出口４と、ストッカー３の背部に位置する往動開始位置ＦＳからストッカー３の底部に位置して物品を押し出す駆動位置ＥＪまで往動し、更に該駆動位置ＥＪから往動終了位置ＦＥまで往動した後、前記往動開始位置ＦＳまで復動するイジェクタ機構５（図６及び図７参照）と、該イジェクタ機構５を往復移動させる動力伝達機構６と、ハウジング２の正面壁２ａの外側で手動回転される操作機構７とから構成され、前記操作機構７を回転したとき、前記動力伝達機構６を介してイジェクタ機構５を往復駆動するように構成されている。尚、操作機構７は、摘み部材１４を有し、その下方に位置して正面壁２ａにコイン返却口４ａが設けられている。
【００２８】
図示のように、ストッカー３は、好ましくは複数列、図例の場合は２列のストッカー３Ａ、３Ｂが並設されており、各列のストッカー３に対応してイジェクタ機構５が個別に設けられている。各列のストッカー３は、図７に示すように、下から順にｎ個の物品ａ１、ａ２・・・ａｎを積層した第一物品積層体Ａを収納する背面側の第一塔部３ａと、下から順にｎ個の物品ｂｓ、ｂ１、ｂ２・・・ｂｎを積層した第二物品積層体Ｂを収納する正面側の第二塔部３ｂを構成しており、第一塔部３ａ及び第二塔部３ｂは、それぞれに収納された最下位の物品を押し出し方向に移動可能とするように開放されているが、第一塔部３ａ及び第二塔部３ｂの正面側の両側縁に上位の物品を移動不能に保持する保持壁３ｗを備えている。
【００２９】
図７に示すように、第一物品積層体Ａ及び第二物品積層体Ｂは、それぞれの最下位の物品をストッカー３の底部両側に位置して設けたレール９により支持され、該レール９は、第一物品積層体Ａの最下位の物品ａ１を水平に支持する第一レール部９ａと、第二物品積層体Ｂの最下位の物品ｂｓを水平に支持する第二レール部９ｂと、第一レール部９ａから第二レール部９ｂに向けて上り勾配を有する傾斜レール部９ｃを連続的に構成している。従って、前記傾斜レール部９ｃを介して、第一レール部９ａを下位として第二レール部９ｂを上位に位置させるように配置され、第一物品積層体Ａの最下位の物品ａ１がイジェクタ機構５により押動させられると、該物品ａ１は、傾斜レール部９ｃを介して上昇しながら前進し、第二物品積層体Ｂの最下位の物品ｂｓを押し出しながら隣接する上位の物品ｂ１の下側に進入するように構成されている。
【００３０】
図６に示すように、前記２列のストッカー３Ａ、３Ｂの底部に対応して２個のイジェクタ機構５ａ、５ｂが配置されており、各イジェクタ機構５は、各ストッカー３の下方に設けられたガイドレール（図示省略）に沿って摺動可能な案内部１０ａを備えたスライダー１０により構成され、該スライダー１０は、それぞれ起伏方向に揺動自在な第一舌片１１ａと第二舌片１１ｂを設けており、各舌片１１は、常時はスライダーの往動方向に向けて先端を起立させた傾斜姿勢を保持している。
【００３１】
前記イジェクタ機構５を往復移動させる動力伝達機構６は、操作機構７に連結された回転駆動機構８ａと、該回転駆動機構８ａの回転を往復動に変換してイジェクタ機構５に伝達する往復駆動機構８ｂにより構成されている。
【００３２】
前記往復駆動機構８ｂは、駆動軸１２と、それぞれのイジェクタ機構５ａ、５ｂに対応して該駆動軸１２に設けられたクランク機構１３ａ、１３ｂにより構成されており、図示実施形態の場合、駆動軸１２に対してクランク機構１３ａ、１３ｂが相互に軸回り方向に１８０度の位相をずらせて設けられ、これにより、例えば、操作機構７の摘み部材１４を回転操作する１回目は、第一のイジェクタ機構５ａが往動開始位置ＦＳから往動終了位置ＦＥまで往動し、その間に、第二のイジェクタ機構５ｂが往動終了位置ＦＥ（換言すれば復動開始位置ＢＳ）から往動開始位置ＦＳ（換言すれば復動終了位置ＢＥ）まで復動する。また、２回目は、第一のイジェクタ機構５ａが往動終了位置ＦＥ（換言すれば復動開始位置ＢＳ）から往動開始位置ＦＳ（換言すれば復動終了位置ＢＥ）まで復動し、その間に、第二のイジェクタ機構５ｂが往動開始位置ＦＳ（換言すれば復動終了位置ＢＥ）から往動終了位置ＦＥ（換言すれば復動開始位置ＢＳ）まで往動する。
【００３３】
操作機構７は、図６に示すように、回転自在な摘み部材１４と、該摘み部材１４により回転させられる回転軸１５と、前記摘み部材１４の背面に位置して設けられたワンウエイ手段１６を構成しており、前記ワンウエイ手段１６は、例えば、回転軸１５と同行回転するラチェットホイールを一方向にのみ回転自在とするラチェット機構により構成されている。詳細は図示省略しているが、操作機構７は、ハウジング２の正面壁２ａに取付けられる盤状のケーシング１７を備え、該ケーシング１７の上部にコイン投入用のスリット１８を開設し、該スリット１８からケーシング１７の内部にコインが投入されたとき、摘み部材１４の背部に設けたポケットにコインを受入れた状態で、摘み部材１４をニュートラル位置Ｎから１回だけ回転可能とする操作許可機構を内蔵している。
【００３４】
前記操作機構７の回転を受ける回転駆動機構８ａは、前記回転軸１５を含み、該回転軸１５の回転を前記往復動機構８ｂの駆動軸１２に対して減速状態で伝達するベベルギヤ１９、２０により構成されている。図示実施形態の場合、前記操作許可機構は、操作機構７の摘み部材１４を３６０度回転可能とするように構成され、回転軸１５を３６０度回転したとき、往復動機構６の駆動軸１２を１８０度回転させ、これにより、何れか１つのストッカー３から１個の物品を搬出口４に押し出すように構成されている。しかしながら、このような構成に限定されるものではなく、操作許可機構により摘み部材１４を所定角度範囲だけ回転可能となるように構成し、回転軸１５が所定角度だけ回転したときにストッカー３から物品を搬出させるように減速比を設定しても良い。
【００３５】
図７の（Ａ）に示すように、操作機構７は、ニュートラル位置Ｎにあるとき、摘み部材１４の背部に設けたポケットの開口部をスリット１８に合致させ、コインを受取り可能としている。この状態で第一のイジェクタ機構５ａは、往動開始位置ＦＳに待機している。そこで、コインを投入することにより操作機構７を矢印Ｒ１のように回転すると、操作許可機構が操作機構７の回転を許し、摘み部材１４の回転に伴って下向きとされたポケットの開口部からコインを下方に落下させ、第一のイジェクタ機構５ａが駆動位置ＥＪまで往動して物品を第一のストッカー３Ａから押し出す。このとき、操作機構７は、再びニュートラル位置Ｎに来る前の中途位置Ｍに位置する。尚、中途位置Ｍに位置した状態では、操作機構７のポケットの開口部がスリット１８に合致していないので、改めてスリット１８にコインを投入しても、ポケットに受取られることはない。
【００３６】
そこで、操作機構７の回転を続けると、再びニュートラル位置Ｎに来た状態で操作許可機構が働き、操作機構７を回転不能となるように停止させる。操作機構７が中途位置Ｍからニュートラル位置Ｎまで回転される間、第一のイジェクタ機構５ａは駆動位置ＥＪから往動終了位置ＦＥまで往動する。
【００３７】
上記のようにして１個の物品を搬出口４に搬出した後、再びスリット１８にコインを投入すると、図７の（Ｂ）に示すように、操作機構７は、矢印Ｒ２のように再び回転することができる。操作機構７がニュートラル位置Ｎから１回転して再びニュートラル位置Ｎに来るまで、第一のイジェクタ機構５ａは、前記往動終了位置ＦＥ（つまり復動開始位置ＢＳ）から往動開始位置ＦＳ（つまり復動終了位置ＢＥ）まで復動する。この間は、上記と同様に、第二のイジェクタ機構５ｂが往動開始位置ＦＳから往動終了位置ＦＥまで往動し、第二のストッカー３Ｂから物品を搬出口４に搬出する。
【００３８】
図１及び図２に示すように、ハウジング２の正面壁２ａは、該ハウジング２の正面開口を開閉自在に閉鎖する扉部材２１により構成され、該扉部材２１の開閉ヒンジ手段２２を前記正面開口の側縁部に設けている。そして、扉部材２１は、外側面に形成した表示窓２３に商品売切れ情報を表示する表示装置２４を設けている。
【００３９】
図３及び図５に示すように、表示装置２４は、扉部材２１に開設した表示窓２３の外側に額縁フレーム２５を設けると共に、扉部材２１の裏面（内側）に第一ブラケット２６ａ、第二ブラケット２６ｂ、第三ブラケット２６ｃを設けている。額縁フレーム２５と第一ブラケット２６ａ及び第二ブラケット２６ｂは、扉部材２１を挟んでビス２７により相互に固着され、第三ブラケット２６ｃは図示省略したビスを介して扉部材２１に固着されている。
【００４０】
第一ブラケット２６ａ及び第二ブラケット２６ｂは、表示窓２３の両側で相互に対向する保持溝２８、２８を形成し、該保持溝２８、２８に表示板２６の両側縁を摺動自在に挿入している。これにより、図５に示すように、表示板２６は、下位の待機位置Ｌと上位の作動位置Ｈの間で昇降自在となるように保持され、待機位置Ｌにおいて表示窓２３に臨む部位に、例えば「販売中」の文字から成る商品販売情報２９を設け、作動位置Ｈにおいて表示窓２３に臨む部位に、例えば「売切中」の文字から成る商品売切れ情報３０を設けている。尚、表示板２６は、自重等により下向きの付勢力を備えており、常時は、待機位置Ｌに位置することにより表示窓２３に商品販売情報２９を表示し、表示作動機構３１により上昇させられ、作動位置Ｈに位置したとき表示窓２３に商品売切れ情報３０を表示する。
【００４１】
図３に示すように、前記表示作動機構３１は、表示板２６の上部に折曲形成された作動片３２と、揺動部材３３とから構成されている。揺動部材３３は、両端に同軸状に設けた枢軸３４、３４を、前記第一ブラケット２６ａ及び第三ブラケット２６ｃに設けた軸受片３５、３５に回動自在に枢結され、該枢軸３４、３４から前記作動片３２の下側に向けて延びて係合する駆動部３３ａと、該枢軸３４、３４から前記駆動部３３ａの反対方向に向けて延びる受動部３３ｂを形成している。
【００４２】
そこで、揺動部材３３の枢軸３４、３４を軸受片３５、３５に軸支させた状態で、表示板２６を保持溝２８、２８に挿入すると、表示板２６の作動片３２が揺動部材３３の駆動部３３ａの上に重なり、該表示板２６の自重による下向き付勢力により、揺動部材３３をほぼ水平姿勢に保持する。この際、保持溝２８、２８の上端部が表示板２６を待機位置Ｌに停止させるストッパ２８ａ、２８ａを形成している。この状態から、後述するように、揺動部材３３の受動部３３ｂに下動させると、駆動部３３ａが上動することにより表示板２６を作動位置Ｈまで上昇させる。この際、表示板２６を作動位置Ｈに停止させるストッパ３６が設けられている。
【００４３】
図２に示すように、それぞれのストッカー３Ａ、３Ｂに収納された第二物品積層体Ｂの最上位の物品には、錘を構成する追従体３７が載置される。図４に示すように、追従体３７は、第一錘部材３８と第二錘部材３９により構成されている。
【００４４】
第一錘部材３８は、正面壁部４０の上下端部に背面方向に折曲された上壁部４１と下壁部４２を備えた断面ほぼコ字形に形成され、ストッカーの第二塔部３ｂに収納される大きさとなるように形成され、下壁部４２から更に背面方向に延長されると共に下向きに折曲されたロック係止片４３を設け、該ロック係止片４３が前記第二塔部３ｂの背面側に突出するように形成されている。
【００４５】
第二錘部材３９は、前記第一錘部材３８の上壁部４１及び下壁部４２に開設されたスライド孔４１ａ、４２ａに摺動自在に挿入される摺動部４４と、該摺動部４４の上端から正面方向に折曲されて突出する作動手段４５を設けている。摺動部４４をスライド孔４１ａ、４２ａに挿入した状態で、該摺動部４４が傾くことなく直立姿勢を保持するように、該摺動部４４の両側から背面方向に折曲形成したリブ４４ａ、４４ａをスライド孔４１ａ、４２ａに合致させ、摺動部４４の下端から正面方向に折曲形成した下端リブ４４ｂが下側のスライド孔４２ａに合致して下壁部４２の底面と面一に整合させられるように構成している。更に、第二錘部材３９の上下方向の摺動をガイドするため、摺動部４４の両側に上下方向のスリット４６、４６が開設され、該スリット４６、４６に挿入されるガイドピン４７、４７が第一錘部材３８の正面壁部４０に設けられている。
【００４６】
図７ないし図１２に示すように、前記追従体２１は、第一錘部材３８に第二錘部材３９を組み合わせた状態で、ストッカー３Ａ、３Ｂに収納された第二物品積層体Ｂの最上位の物品に載置される。この状態で、前記作動手段４５がストッカー３の第二塔部３ｂの正面の両側に設けられた保持壁３ｗの間で上下方向に延びる幅狭状の開口部から突出し、前記ロック係止片４３が第二塔部３ｂの背面から突出し、該第二塔部３ｂと第一塔部３ａの間に位置する。
【００４７】
上述のように、操作機構７がニュートラル位置Ｎで待機しているとき、顧客がケーシング１７のスリット１８にコインを投入すると、摘み部材１４を所定回転角度範囲で１回だけ回転することが可能である。そこで、摘み部材１４を回転すると、動力伝達機構６を介して、何れかのイジェクタ機構５が往動開始位置ＦＳから往動終了位置ＦＥまで往動する。この際、イジェクタ機構５が駆動位置ＥＪまで往動したとき、対応するストッカー３の最下位の物品が搬出口４に向けて押し出される。
【００４８】
図７ないし図９に示すように、ストッカー３の第一塔部３ａに第一物品積層体Ａが収納され、第二塔部３ｂに第二物品積層体Ｂが収納された状態においては、イジェクタ機構５の第二舌片１１ｂが物品ａ１により押し下げられているので、図７に示す往動開始位置ＦＳからイジェクタ機構５が往動すると、第一舌片１１ａにより第一物品積層体Ａの最下位に位置する物品ａ１を押しながら移動させ、図８及び図９に示すように、該物品ａ１を介して第二物品積層体Ｂの最下位の物品ｂｓを搬出口４に向けて押し出す。上述のように、操作機構７をニュートラル位置Ｎから中途位置Ｍまで回転したとき、イジェクタ機構５が往動開始位置ＦＳから駆動位置ＥＪまで往動することにより前記物品ｂｓを搬出口４に押し出し、その後、操作機構７を更に１回転後のニュートラル位置Ｎまで回転したとき、イジェクタ機構５が前記駆動位置ＥＪから往動終了位置ＦＥまで往動する。尚、イジェクタ機構５は後に復動させられるが、第二舌片１１ｂが物品ａ１により押し下げられ、第一舌片１１ａが物品ａ２により押し下げられた状態で復動する。従って、コインの投入と摘み部材１４の回転操作を繰り返すことにより、イジェクタ機構５が同様の動作を繰り返して物品を搬出し、図１０に示すように、第一物品積層体Ａの物品が欠乏する。
【００４９】
第一物品積層体Ａの物品が欠乏すると、イジェクタ機構５の第二舌片１１ｂが起立姿勢となるので、この状態からイジェクタ機構５が往動する毎に、第二物品積層体Ｂの物品が最下位の物品から１個宛、搬出口４に向けて押し出される。
【００５０】
上述のように、第二物品積層体Ｂの最上位の物品ｂｎには追従体３７が載置されており、物品の搬出に伴う最上位の物品ｂｎの下降に追従して追従体３７も下降する。図１１は、第二物品積層体Ｂの物品ｂを押し出した結果、最後の最上位の物品ｂｎだけが第二塔部３ｂに残存した状態を示している。この状態で、最上位の物品ｂｎに載置された追従体３７は、第一錘部材３８の下壁部４２と、第二錘部材３９の下端リブ４４ｂの下面を面一状態として該物品ｂｎの上面に載置されている。そして、ハウジング２の閉じられた扉部材２１に設けられた揺動部材３３の受動部３３ｂが作動手段４５の下方に臨んでいる。
【００５１】
そこで、操作機構７の更なる回転を受けてイジェクタ機構５が復動した後、スリット１８にコインを投入することにより操作機構７が回転され、図１２に示すように、イジェクタ機構５が駆動位置ＥＪまで往動すると、前記最上位の物品ｂｎが押し出され、追従体３７が落下する。追従体３７の第一錘部材３８は、物品ｂｎとほぼ同じ大きさのものとして第二塔部３ｂに収納されているので、物品の搬出を案内するレール９を受部材として、落下距離Ｄ１だけ落下して該受部材に載置される。第二錘部材３９は、前記受部材（レール９）の間隔を通過する大きさに形成されているので、第一錘部材３８のスライド孔４１ａ、４２ａを通じて、落下距離Ｄ２のように落下する。
【００５２】
第一錘部材３８は、受部材（レール９）に当接することにより落下を停止した状態で、ロック係止片４３をイジェクタ機構５の第一舌片１１ａの先端に係止する。これにより、イジェクタ機構５は、駆動位置ＥＪから往動終了位置ＦＥに向けて往動不能となるようにロックされる。また、操作機構７は、中途位置Ｍで停止し、ニュートラル位置Ｎに向けて回転不能となるようにロックされる。上述のように、操作機構７は、中途位置Ｍにおいてポケットの開口部をスリット１８から偏位しており、コインを受取ることが不可能となるように構成されているので、この状態で顧客がスリット１８にコインを投入しようとしても、コインが内部まで挿入されることはない。
【００５３】
ストッカー３の第二塔部３ｂに最上位の物品ｂｎが最後の商品として残存した状態を図５（Ａ）に示し、該物品ｂｎが搬出された後の状態を図５（Ｂ）に示している。尚、前述の受部材（レール９）の位置を基準レベルＬＶとして示している。
【００５４】
図５（Ａ）に示す状態において、追従体３７は、第一錘部材３８と第二錘部材３９の下面を面一として基準レベルＬＶよりも物品ｂｎの高さだけ上方に位置しており、このとき、表示作動機構３１を構成する揺動部材３３は、ほぼ水平姿勢を保持し、受動部３３ｂを作動手段４５の下方近接位置に臨ませている。上述のように、表示板２６は、待機位置Ｌで停止しており、表示窓２３に商品販売情報２９を表示している。
【００５５】
図５（Ｂ）に示すように、最後の物品ｂｎが押し出されると、追従体３７が落下することにより、第一錘部材３８を基準レベルＬＶに載置されるまでの落下距離Ｄ１だけ下降させ、第二錘部材３９を第一錘部材３８のスライド孔４１ａ、４２ａを通じて落下距離Ｄ２だけ下降させる。その結果、第二錘部材３９に設けられた作動手段４５は、第一錘部材３８の落下距離Ｄ１と第二錘部材３９の落下距離Ｄ２を合計した落下距離に相当して下降し、揺動部材３３の受動部３３ｂを下動する。このため、例えば、物品ｂｎの高さが比較的低く、落下距離Ｄ１が小さい場合でも、作動手段４５の下動距離を大きくすることができるので、揺動部材３３の受動部３３ｂを十分な距離だけ下動させることが可能となる。また、ストッカー３と扉部材２１の間に距離があり、揺動部材３３における枢軸３４から、受動部３３ｂの先端までの距離Ｌ１と、駆動部３３ａの先端までの距離Ｌ２が、Ｌ１＞Ｌ２とされている場合でも、駆動部３３ａを十分な距離だけ上動させることができ、表示板２６を待機位置Ｌから作動位置Ｈまで上昇させることが可能となる。
【００５６】
このように、最後の物品ｂｎが押し出されたとき、追従体３７が落下することにより、イジェクタ機構５は、駆動位置ＥＪから往動終了位置ＦＥまで往動不能となるようにロックされ、操作機構７は、スリット１８からのコイン投入を受け付けない中途位置Ｍで停止されるようにロックされる。同時に、表示板２６が作動位置Ｈまで移動され、表示窓２３に売切れ情報３０を表示し、顧客に販売不能な状態であることを知らせる。
【００５７】
前記売切れ情報３０は、顧客のみならず、物品供給装置１の管理者に対しても、物品補給の必要性を知らせる手段として有効に機能する。そこで、物品補給に際しては、扉部材２１を開き、ハウジング２の正面側から追従体３７を取り出した後、ストッカー３に物品を補給しつつ積層し、再び最上位の物品に追従体３７を載せるだけで良く、作業が容易である。就中、扉部材２１を開くと、同時に揺動部材３３が追従体３７の作動手段４５から離隔され、表示板２６が下向き付勢力により待機位置Ｌに自動的に復帰するので、管理者が表示板２６を作動位置Ｈから待機位置Ｌに戻す煩雑な作業を必要としない。
【００５８】
本発明が上記実施形態に限定されないことは勿論であり、例えば、表示板２６は、待機位置Ｌと作動位置Ｈの間において、図示のような昇降自在とされた構成に代えて、回動自在な構成としても良く、また、表示作動機構３１は、図示のような枢軸を支点として回動する揺動部材３３に代えて、リンク機構や、索条を使用した連動手段により構成しても良い。
【符号の説明】
【００５９】
１  物品供給装置
２  ハウジング
２ａ  正面壁
３  ストッカー
４  搬出口
５  イジェクタ機構
６  動力伝達機構
７  操作機構
８ａ  回転駆動機構
８ｂ  往復駆動機構
９  受部材（レール）
１０  スライダー
１４  摘み部材
１６  ワンウエイ手段
１８  スリット
２１  扉部材
２２  開閉ヒンジ手段
２３  表示窓
２４  表示装置
２６  表示板
２９  商品販売情報
３０  商品売切れ情報
３１  表示作動機構
３２  作動片
３３  揺動部材
３３ａ  駆動部
３３ｂ  受動部
３４  枢軸
３７  追従体
３８  第一錘部材
３９  第二錘部材
４３  ロック係止片
４５  作動手段
【図１】
2011054074.tif 000003
【図２】
2011054074.tif 000004
【図３】
2011054074.tif 000005
【図４】
2011054074.tif 000006
【図５】
2011054074.tif 000007
【図６】
2011054074.tif 000008
【図７】
2011054074.tif 000009
【図８】
2011054074.tif 000010
【図９】
2011054074.tif 000011
【図１０】
2011054074.tif 000012
【図１１】
2011054074.tif 000013
【図１２】
2011054074.tif 000014